(57)【要約】【課題】ヘッドとシャフト、グリップで形成されたゴルフクラブにおいて、ヘッドの重量を低減することによって、打球の飛距離を低減し、球場造成時に土地蚕食にともなう問題を解消して、ゴルフ競技方式を応用した新しい概念のレジャースポーツを提供して、ゴルフを大衆向けに拡大できるゴルフクラブを提供する。【解決手段】ヘッド１０、シャフト２０及びグリップ３０を備えたゴルフクラブにおいて、ヘッド１０に複数の通気手段４０を備え、通気手段４０は、ヘッド１０のフェース１１からクラウン１２又はソール１３までを貫通する貫通孔で構成され、この貫通孔は、前後端部の直径が同一である「一」の字状に形成され、貫通孔の内周面に環状の挿入管４１が一体構成されている。このように、ヘッド１０に複数の通気手段４０を設けることで、ヘッド１０の重量を低減できるので、打球の飛距離を低減できる。【選択図】図２
2008000605.tif 000002
【特許請求の範囲】
【請求項１】
ヘッド、シャフト及びグリップを備えたゴルフクラブにおいて、
前記ヘッドに複数の通気手段を備え、
前記通気手段は、前記ヘッドのフェースからクラウン又はソールまでを貫通する貫通孔で構成され、前記貫通孔は、前後端部の直径が同一である「一」の字状に形成され、
前記貫通孔の内周面に環状の挿入管が一体構成されたことを特徴とする、ゴルフクラブ。
【発明の詳細な説明】
【技術分野】
【０００１】
本発明はゴルフ競技方式を応用した新しい概念のレジャースポーツのためのクラブに関し、より詳細に説明すると、ヘッド、シャフト及びグリップで形成されたゴルフクラブにおいて、ヘッドに複数の通気手段を設けて、ゴルフクラブのヘッド重量を落とすことによって、打球の飛距離を低減することができるゴルフクラブに関する。
【背景技術】
【０００２】
一般に知られたように、ゴルフクラブは、球を打撃するヘッドの形と材質により「ウッド」、「アイアン」、「パター」のような３種類に分類され、各々の用途と機能を有する。このため、ゴルフ競技中には、ゴルファーが状況に合ったクラブを選択できるというルールが適用される。従って、ゴルフクラブは。競技中に発揮されるゴルファーの技術力を成す核心的な要素であり、クラブの性能とゴルファーのスコアは互いに密接な相関関係がある。
【０００３】
このような事情を考慮して開発されたゴルフクラブに関する先行技術を調査すると、打撃時のゴルフボールの飛距離が長く、かつ目標地点に正確に落とすための先端素材や製造工法などの開発に片寄っているのが実情である。例えば、特許文献１(２００５年８月２９日公開、以下「従来技術」という)のような技術が挙げられる。この従来技術は、ゴルフボールの飛距離を向上させるための技術であり、その構成は図1に示されている。
【０００４】
即ち、上記の従来技術は、フェース部１とクラウン部２、及びソール部３で形成されたゴルフクラブのヘッドにおいて、クラウン部２とソール部３の各々の換算強性のうち、強性の大きい方に対する小さい方の換算強性比が０．７５以下となるように形成された中孔状のヘッドを備えたゴルフクラブ及びその設計方法に関する。かかる従来技術は、バックスピン量を減らし、打出角度を大きくできるゴルフクラブを提供することによって、打撃時にゴルフボールの飛距離を向上させる効果がある。
【０００５】
【特許文献１】大韓民国公開特許公報第８５３７８号明細書
【発明の開示】
【発明が解決しようとする課題】
【０００６】
しかし、ゴルフボールの飛距離を増加させる従来技術の場合、ゴルフ場の造成時に、飛距離が長いほど、広い空間を確保しなければならないため、林野などの土地の蚕食が加速化されるという問題が生じる。そして、上記のような従来技術は、クラブ等の装備の発達によりゴルフの本質が変わるのを予防するために、既存のゴルフで要求されるクラブに対する規定を考慮したものであり、クラブの形や形態変更が狭いという限界を有したものに過ぎない。
【０００７】
従って、飛距離の増加といったクラブ性能の向上程度を実際には分かりにくいだけでなく、ゴルフボールの飛距離の増加に伴う施設費用及び維持補修費用などが過大となるという根本的な問題を解決できなかった。
【０００８】
そこで、本発明は、上記従来技術の問題に鑑みてなされたものであり、本発明の第１の目的は、ヘッド、シャフト及びグリップで形成されたゴルフクラブにおいて、ヘッドに複数の通気手段を設けて、ヘッドの重量を低減することによって、打球の飛距離を低減することが可能な、新規かつ改良されたゴルフクラブを提供することにある。
【０００９】
本発明の第２の目的は、打球の飛距離を減らすことによって、ゴルフ場の造成時に土地蚕食に伴う問題を解消し、ゴルフ競技方式を応用した新しい概念のレジャースポーツを提供すると共に、ゴルフを大衆向けに拡大することが可能な、新規かつ改良されたゴルフクラブを提供することにある。
【課題を解決するための手段】
【００１０】
上記課題を解決するために、本発明のある観点によれば、ヘッド、シャフト及びグリップを備えたゴルフクラブにおいて、前記ヘッドに複数の通気手段を備え、前記通気手段は、前記ヘッドのフェースからクラウン又はソールまでを貫通する貫通孔で構成され、前記貫通孔は、前後端部の直径が同一である「一」の字状に形成され、前記貫通孔の内周面に環状の挿入管が一体構成されたことを特徴とする、ゴルフクラブが提供される。
【００１１】
かかる構成により、ヘッドに複数の通気手段を設けることで、ヘッドの全体的な重量を低減できる。このため、スイング時には通気手段を通る空気との摩擦と、ヘッドの重量低減などにより、打球力を落とすことができ、この結果、打球の飛距離を低減できる。
【発明の効果】
【００１２】
以上説明したように本発明にかかるゴルフクラブは、ヘッドとシャフト、グリップで形成されたゴルフクラブにおいて、ヘッドに複数の通気手段を備えることにより、ゴルフクラブのヘッド重量を低減することによって、打球の飛距離を低減して、相対的に短くなった飛距離だけフィールド造成のための敷地の確保面積を低減することができ、不要な土地の蚕食を防止する効果がある。
【００１３】
特に、本発明のゴルフクラブは、ゴルフ競技方式を応用した新しい概念のレジャースポーツ創出を図ると共に、耐食性及び耐久性が優れて、かつ生産費用を低減できる。これによって、ゴルフを大衆向けに広げることができ、週５日制の勤務条件及び高齢化のような社会的条件の変化にともなう余暇善用、健康及び福利増進を図るなど、公益的効果が期待できる。
【発明を実施するための最良の形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
図２に示したように、本発明の一実施形態にかかるゴルフクラブは、打球面を形成するヘッド１０と、クラブ全体の長さを定めるシャフト２０と、取っ手に該当するグリップ３０とを備える。また、図２、図４Ａ及び図４Ｂに示したように、ヘッド１０の形状及び材質に応じて、「ウッド」（図２）、「アイアン」（図４Ａ）、「パター」（図４Ｂ）に分類される。特に、本実施形態にかかるゴルフクラブは、ヘッド１０に複数の通気手段が備えられて、ゴルフクラブのヘッド１０の重量を低減することができる。
【００１６】
即ち、本実施形態にかかるゴルフクラブは、スイングによるクラブ１０のヘッドスピードと、打球の飛距離との間の相関関係に着眼して、クラブのヘッドスピードが他の条件が同じ状態におけるヘッド１０の重さに比例するという実験結果に基づいて、打球の飛距離を減らすための技術的な構成、即ち通気手段４０を設けた構成である。
【００１７】
一般にゴルフクラブのヘッド１０は、打球が接触するフェース１１と、外形を成すクラウン１２と、スイング安定感及び飛距離向上のために重心点を形成するソール１３とを含む。本実施形態にかかるゴルフクラブのヘッド１０に形成された通気手段４０は、図３のような形態で形成される。
【００１８】
即ち、本実施形態にかかる通気手段４０は、ヘッド１０の内部を略打撃方向に直線状に貫通する貫通孔で構成される。即ち、通気手段４０は、ヘッド１０のフェース１１から、クラウン１２またはソール１３までを貫通する貫通孔で構成される。この通気手段４０の貫通孔の形状は、例えば、円状、または他の形態の多角形など多様に実施できる。例えば、図３に示したように、通気手段４０の貫通孔は、前後端部の直径が同一の断面「一」の字状（一文字状）で構成できる。つまり、通気手段４０の貫通孔は、フェース１１における直径（前端部の直径）と、クラウン１２またはソール１３における直径（後端部の直径）とが同一となる直線状の円孔である。
【００１９】
本実施形態にかかるヘッド１０の通気手段４０には、貫通した内周面に環状の挿入管４１が一体に構成されるのが望ましい。つまり、通気手段４０を成す貫通孔内にそれぞれ、円筒パイプ状の挿入間４０が挿入されて、貫通孔に密着している。本実施形態にかかる挿入管４１は、通気手段４０を通る空気の疎通状態を円滑にすると共に、雨天時に空気と一緒に流入する雨水などによるヘッド１０の内部腐食を防止することによって、耐食性及び耐久性を向上させる役割を果たすことができる。
【００２０】
次に、上記のように構成された本実施形態にかかるゴルフヘッドの作動関係を添付図を参照して説明する。
【００２１】
図２及び図４Ａ、図４Ｂに示したように、本実施形態にかかるゴルフクラブは、ウッドやアイアン、パターの各々のヘッド１０に所定の通気手段４０が備えられて、ヘッド１０の重さを低減できる。これによって、打球のためのバックスイングの頂点からヘッド１０が球を打撃する瞬間にかかる打球力を激減させて、結果的に打球の飛距離を減らすことができる。
【００２２】
特に、例えば円状や多角形状で貫通形成された通気手段４０は、スイング時にクラブのヘッド１０と空気との摩擦面積を増やすと共に、ヘッド１０の重量を落とすことによって、ゴルフクラブのヘッド１０のフェース１１がゴルフボールを打撃する瞬間、反発力として転換される力を小さくできるため、打球されたゴルフボールの飛距離が低減する。
【００２３】
ここで、本実施形態にかかる挿入管４１は、通気手段４０が形成された内部表面を滑らかに処理したもので、雨天時に雨水やフィールドの芝に結露された露のような水気により、ヘッド１０内部の通気手段４０周辺の腐食を防止できる。即ち、本実施形態にかかる挿入管４１は、通気手段４０の内部に流入した雨水又は露を、その内周面に沿って流して容易に外部に排出させることができ、通気手段４０内の水気残存によるヘッド１０の腐食を防止し、これによってゴルフクラブヘッド１０の耐久性を高めることができる。
【００２４】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【図面の簡単な説明】
【００２５】
【図１】従来技術のゴルフクラブの分解状態を概略的に示す図である。
【図２】本発明の一実施形態にかかるゴルフクラブの分解状態を立体的に示した図である。
【図３】本実施形態にかかるゴルフクラブのヘッドを示した断面図である。
【図４Ａ】本実施形態にかかるゴルフクラブのアイアンヘッドの部分を立体的に示した図である。
【図４Ｂ】本実施形態にかかるゴルフクラブのパターヘッドの部分を立体的に示した図である。
【符号の説明】
【００２６】
１０      ヘッド
１１      フェース
１２      クラウン
１３      ソール
２０      シャフト
３０      グリップ
４０      通気手段
４１      挿入管
【図１】
2008000605.tif 000003
【図２】
2008000605.tif 000004
【図３】
2008000605.tif 000005
【図４Ａ】
2008000605.tif 000006
【図４Ｂ】
2008000605.tif 000007